(57)【要約】  本発明は、２つのフィラメントリード（１１０２，１１０３）を有する白熱ランプのための白熱フィラメント（１１０）に関する。２つのフィラメントリード（１１０２，１１０３）はそれぞれ、曲げられた脚部（１１０２１，１１０３１）を有している。曲げられた脚部は、白熱フィラメント（１１０）の巻線軸線（１１０４）に対して平行にずらされて延在する１つの共通の平面に配置されている。さらに本発明は、軸対称的なランプ容器（１００）と、ランプ容器軸線（Ａ−Ａ）に対して平行にずらされて配置されている白熱フィラメント（１１０）とを有する白熱ランプに関する。
2007536716.tif 000002
【特許請求の範囲】
【請求項１】
白熱ランプのための白熱フィラメントであって、該白熱フィラメント（１１０）が、２つのフィラメントリード（１１０２，１１０３）を有している形式のものにおいて、
２つのフィラメントリード（１１０２，１１０３）がそれぞれ、曲げられた脚部（１１０２１，１１０３１）を有しており、これらの曲げられた脚部（１１０２１，１１０３１）が、当該白熱フィラメント（１１０）の巻線軸線（１１０４）に対して平行にずらされて延在する１つの共通の平面に配置されていることを特徴とする、白熱ランプのための白熱フィラメント。
【請求項２】
フィラメントリード（１１０２，１１０３）がそれぞれＬ字形に形成されている、請求項１記載の白熱フィラメント。
【請求項３】
各フィラメントリード（１１０２，１１０３）が、発光を担う、当該白熱フィラメント（１１０）の領域（１１０１）と結合している第１のＬ脚部（１１０２２，１１０３２）と、該第１のＬ脚部（１１０２２，１１０３２）から垂直な角度を成して曲げられた第２のＬ脚部（１１０２１，１１０３１）とを有しており、該第２のＬ脚部（１１０２１，１１０３１）が、２つのフィラメントリード（１１０２，１１０３）の曲げられた脚部であり、該曲げられた脚部が、当該白熱フィラメント（１１０）の巻線軸線に対して平行にずらされて延在する１つの共通の平面に配置されている、請求項２記載の白熱フィラメント。
【請求項４】
請求項１から３までのいずれか１項記載の少なくとも１つの白熱フィラメントを有する白熱ランプ。
【請求項５】
白熱ランプであって、透光性で軸線対称的なランプ容器（１００）が設けられており、該ランプ容器（１００）が、一方の端部（１０１）において封止されており、前記ランプ容器（１００）に導電部（１２３，１２４，１２５，１２６）が備えられており、請求項１から３までのいずれか１項記載の、ランプ容器（１００）の内側に配置される白熱フィラメント（１１０）が設けられている形式のものにおいて、白熱フィラメント（１１０）が、ランプ容器（１００）内で軸線方向に配向されており、ランプ容器軸線（Ａ−Ａ）に対して平行にずらされて配置されており、２つのフィラメントリード（１１０２，１１０３）の曲げられた脚部（１１０２１，１１０３１）がそれぞれ、ランプ容器（１００）の封止されている端部（１０１）に埋め込まれた給電部材（１２３，１２４）に接合されていることを特徴とする白熱ランプ。
【請求項６】
給電部材（１２３，１２４）がそれぞれ、封止されているランプ容器端部（１０１）に気密に埋め込まれている金属シートである、請求項５記載の白熱ランプ。
【請求項７】
ランプ容器（１００）に光反射性のコーティング（１０４）が備えられており、該コーティング（１０４）が、ランプ容器（１００）の周面の一部分にわたって延びており、白熱フィラメント（１１０）が、光反射性のコーティング（１０４）の方向で、ランプ容器軸線（Ａ−Ａ）に対して平行にずらされて配置されている、請求項５または６記載の白熱ランプ。
【発明の詳細な説明】
【技術分野】
【０００１】
本発明は、請求項１の上位概念部に記載した形式の白熱ランプのための白熱フィラメントとそのような形式の白熱フィラメントを備えた白熱ランプとに関する。
【０００２】
Ｉ．背景技術
このような形式の白熱フィラメントは、たとえば欧州特許出願公開第１２５５２７９号明細書において開示されている。この明細書には長手方向延在に対して直交する横方向での寸法が最大で６ｍｍしかないハロゲン白熱ランプについて記載されている。このランプは、懐中ライトにおいて使用するために設けられている。このハロゲン白熱ランプの白熱フィラメントは２つのフィラメントリードを有していて、これらのフィラメントリードはそれぞれ１つの給電線に溶接されている。
【０００３】
ＩＩ．発明の開示
本発明の課題は、可能な限り簡単に軸対称的なランプ容器の内側にランプ容器軸線に対して平行にずらして位置固定することができる、白熱ランプのための白熱フィラメントを提供することである。さらに本発明の課題は、相応の白熱フィラメントを備えた白熱ランプを提供することである。
【０００４】
本発明によれば、前記課題は請求項１の特徴部により解決される。本発明の特に有利な実施例が、従属請求項に記載されている。
【０００５】
本発明による白熱フィラメントの２つのフィラメントリードはそれぞれ、曲げられた脚部を有していて、これらの曲げられた脚部は白熱フィラメントの巻線軸線に対して平行にずらされて延在する１つの共通の平面に配置されている。これにより、一方の端部において封止されている軸対称的なランプ容器において、付加的な手段なしに白熱フィラメントの軸線の配向をランプ容器の対称軸線に対して平行にずらして実現することができる。この目的のためには、曲げられたフィラメントリードがそれぞれ、ランプ容器の封止されている端部に埋め込まれた給電部材と接合されているだけで十分である。したがって特に、ランプ容器において白熱フィラメントを保持するための支持体を省くことができる。
【０００６】
有利には、本発明による白熱フィラメントの２つのフィラメントリードはそれぞれＬ字形に形成されている。すなわち、各フィラメントリードは一度だけ、すなわち直角に曲げられる。各フィラメントリードの第１のＬ脚部は、発光を担う、白熱フィラメントの領域と結合していて、第２のＬ脚部は、第１のＬ脚部から垂直な角度をなして曲げられており、その結果、２つのフィラメントリードのこの第２のＬ脚部は、白熱フィラメントの巻線軸線に対して平行にずらされて延在する１つの共通の平面に配置されている。
【０００７】
特に、本発明による白熱フィラメントは白熱ランプ、有利にはハロゲン白熱ランプでの使用に特に良好に適している。このハロゲン白熱ランプは、方向づけられた光放射の目的のために、光反射性のコーティングが備えられた軸対称的なランプ容器と、軸線方向に配向された、ランプ容器軸線に対して平行にずらされて配置されている白熱フィラメントとを有している。
【０００８】
本発明による白熱ランプは、一方の端部において封止され、導電部が備えられている軸対称的な透光性のランプ容器と、ランプ容器において軸線方向に配向された、ランプ容器軸線に対して平行にずらされて配置されている白熱フィラメントとを有している。この構成では、白熱フィラメントは、その巻線軸線に対して平行にずらされて延在する１つの共通の平面に配置されているそれぞれ曲げられた脚部を有する２つのフィラメントリードを有しており、この場合これらの曲げられた脚部はそれぞれ、ランプ容器の封止されている端部に埋め込まれた給電部材と接合されている。これにより、付加的な手段なしにランプ容器における白熱フィラメントの、確実で偏心的な保持が保証される。特に、フィラメント保持のための手間のかかる支持体形成は必要ない。
【０００９】
ランプ容器の封止されている端部に埋め込まれた、曲げられた脚部が接合されている複数の給電部材はそれぞれ、有利には金属シート、特に一方では白熱フィラメントのための給電手段として使用され、他方ではランプ容器の封止されている端部において気密に溶融され得るのでランプ容器の封止に適しているモリブデンシートである。
【００１０】
本発明による白熱フィラメントのランプ容器には、有利には光反射性のコーティングが備えられている。このコーティングはランプ容器の周面の一部分にわたって延びていて、白熱フィラメントは、有利には光反射性のコーティングの方向で、ランプ容器軸線に対して平行にずらされて配置されており、これによって、有利な立体角へ方向づけられた光放射が得られる。
【００１１】
ＩＩＩ．有利な実施例の説明
以下に、本発明を有利な実施例につき詳細に説明する。
【００１２】
図１は、本発明の第１の実施例による、白熱ランプのための白熱フィラメントを示す図、
図２は、本発明の第２の実施例による、白熱ランプのための白熱フィラメントを示す図、
図３は、本発明の有利な実施例による白熱ランプの概略的な側面図、
図４は、図３に対して長手方向軸線を中心にして９０°の角度だけ回転させた、図３に示した白熱ランプの概略図である。
【００１３】
図１および図２に示した白熱フィラメント１１０；１１０′は、タングステン線から成る単にコイル状に巻かれた白熱フィラメントである。この白熱フィラメント１１０；１１０′は、約２０ワットの消費電力を有する低電圧ハロゲン白熱ランプのために設けられている。この白熱フィラメント１１０；１１０′は、発光を担う巻かれた領域１１０１；１１０１′と、この領域１１０１；１１０１′に結合された巻かれてない２つのフィラメントリード１１０２，１１０３；１１０２′，１１０３′とを有している。これらのフィラメントリード１１０２，１１０３；１１０２′，１１０３′はそれぞれ、曲げられた脚部１１０２１，１１０３１；１１０２１′，１１０３１′を有している。２つのフィラメントリード１１０２，１１０３の曲げられた脚部１１０２１，１１０３１は、白熱フィラメント１１０の巻軸線に対して平行にずらされて延在する１つの共通の平面に配置されている。さらに２つの脚部１１０２１，１１０３１も互いに平行に延在している。同様の説明が、第２の実施例による白熱フィラメント１１０′の２つのフィラメントリード１１０２′，１１０３′の曲げられた脚部１１０２１′，１１０３１′にも当てはまる。白熱フィラメント１１０；１１０′のフィラメントリード１１０２，１１０３；１１０２′，１１０３′は、Ｌ字形に形成されていて、すなわちこれらのフィラメントリード１１０２，１１０３；１１０２′，１１０３′は、一度だけ直角に曲げられている。第１のＬ脚部１１０２２，１１０３２；１１０２２′，１１０３２′は、白熱フィラメント１１０；１１０′の、発光を担う領域１１０１；１１０１′に直接結合されていて、第２のＬ脚部１１０２１，１１０３１；１１０２１′，１１０３１′は、それぞれ第１のＬ脚部から垂直な角度を成して曲げられている。
【００１４】
白熱フィラメント１１０の２つのフィラメントリードの第２のＬ脚部１１０２１，１１０３１はそれぞれ、ランプ容器１００の封止されている端部１０１に埋め込まれている、図３および図４に示したハロゲン白熱ランプのモリブデンシート１２３，１２４に溶接されている。白熱フィラメント１１０の代わりに第２の実施例による白熱フィラメント１１０′がランプで使用される場合、同様の説明が、白熱フィラメント１１０′のフィラメントリードのＬ脚部１１０２１′，１１０３１′にも当てはまる。
【００１５】
白熱フィラメント１１０，１１０′はそれぞれ、２．２７ｍｍの外径を有していて、発光を担う、白熱フィラメント１１０，１１０′のコイルは、４．１９ｍｍの長さを有している。この白熱フィラメントは、１２ボルトの定格電圧および２０ワットの電力用に構成されている。
【００１６】
両白熱フィラメント１１０，１１０′は、それぞれの白熱フィラメントの２つのフィラメントリードの第１のＬ脚部１１０２２，１１０３２；１１０２２′，１１０３２′が互いに成す角度だけが異なっている。
【００１７】
図３および図４に示した本発明による白熱ランプの実施例は、約２０ワットの消費電力のハロゲン白熱ランプである。このランプは石英ガラス製のランプ容器１００を有していて、このランプ容器１００は一方の端部においてピンチ封止部材１０１によって気密に閉じられている。さらにランプ容器１００は、環状円筒形の容器区分１０２とピンチ封止部材１０１の正反対側に配置されている排気管突出部１０３とを有している。ランプ容器１００の内側には、図１による白熱フィラメント１１０が配置されている。２つのフィラメントリードの曲げられた脚部１１０２１，１１０３１はそれぞれ、ピンチ封止部材１０１に気密に埋め込まれているモリブデンシート１２３，１２４に接合されている。モリブデンシート１２３，１２４はそれぞれ、ピンチ封止部材１０１から突出している、ハロゲン白熱ランプのコンタクトピン１２５，１２６と接合している。環状円筒形の容器区分１０２の外側の表面には、光反射性のコーティング１０４が備えられている。コーティング１０４は、環状円筒形の容器区分１０２の周面の５０パーセントにわたって延びていて、排気管突出部１０３にまで達している。換言すれば、コーティング１０４は円筒形のランプ容器区分１０２のシェル半分を被覆しており、排気管突出部１０３にまで続いている。コーティング１０４は、ランプ容器１００の表面に直接被着した光反射性の第１の銀層と、この銀層上に被着した非透光性の第２のクロム層と、このクロム層上に配置した第３のＳｉＯ２保護層とから成っている。白熱フィラメント１１０は軸方向に配向されていて、環状円筒形の容器区分１０２の円筒軸線Ａ−Ａに対して平行にずらされて配置されている。ランプ容器１００の外径は９．５ｍｍであり、その壁の厚さは１ｍｍである。白熱フィラメント１１０の、巻線軸線と一致する軸線１１０４は、円筒軸線Ａ−Ａに対してコーティング１０４の方向に２ｍｍだけ平行に移動させられている。白熱フィラメント１１０のフィラメントリードの２つの曲げられた脚部１１０２１；１１０３１は、モリブデンシート１２３；１２４に溶接されている。さらに２つの曲げられた脚部１１０２１，１１０３１は１つの共通の平面に、すなわちモリブデンシート１２３，１２４の、円筒軸線Ａ−Ａも含む平面に配置されていて、互いに平行に延在している。軸線、すなわち白熱フィラメント１１０の巻線軸線１１０４は、前記平面の外側に、円筒軸線Ａ−Ａに対して２ｍｍだけ平行にずらされて配置されている。図３の向きでは、白熱フィラメント１１０の巻線軸線１１０４は、曲げられた脚部１１０２１および１１０３１により規定された平面の約２ｍｍ下方で延在している。ピンチ封止部材１０１はＧ４ソケット（図示せず）内に配置されている。
【００１８】
本発明は上で詳細に説明した、本発明の実施例に限定されるものではない。たとえば、上記コーティング１０４の代わりに、赤外光線に対しては透過性であって、可視的なスペクトル領域からなる電磁的な光線を反射するいわゆるコールドライトミラーを使用してもよい。１つの共通の平面に配置されている２つの曲げられたＬ脚部１１０２１，１１０３１は、必ずしも互いに平行に延在している必要はなく、２つの曲げられたＬ脚部１１０２１，１１０３１の間隔は、たとえばモリブデンシート１２３，１２４の方向で増大していてよい。さらに本発明は、２０ワット以外の出力段階の白熱ランプと白熱フィラメントとにも応用することができる。
【図面の簡単な説明】
【００１９】
【図１】本発明の第１の実施例による、白熱ランプのための白熱フィラメントを示す図である。
【図２】本発明の第２の実施例による、白熱ランプのための白熱フィラメントを示す図である。
【図３】本発明の有利な実施例による白熱ランプの概略的な側面図である。
【図４】図３に対し長手方向軸線を中心にして９０°の角度だけ回転させた、図３に示した白熱ランプの概略図である。
【図１】
2007536716.tif 000003
【図２】
2007536716.tif 000004
【図３】
2007536716.tif 000005
【図４】
2007536716.tif 000006
【国際調査報告】
2007536716.tif 000007
2007536716.tif 000008
2007536716.tif 000009
2007536716.tif 000010
2007536716.tif 000011
2007536716.tif 000012